(57)【要約】【課題】前輪部仕様を前輪外径が大きく変化し、前輪位置が横外側に変化したものに変更しても、前輪カバーを有利にできる水田作業機を提供する。【解決手段】左右一対の前車輪１，１の間に位置する運転ステップ部３１及び左右一対の後車輪２，２の間に位置する後カバー部３２が一体形成された車体カバー３０を備えている。走行車体側に設けた前輪カバー支持部３１ｃから車体カバー３０よりも走行車体横外側の運転ステップ部３１よりも高い配置高さの箇所に延出され、延出端側で前車輪１の上方を覆う前輪カバー３５を備えてある。前輪カバー３５は、車体カバー３０と各別に形成してある。【選択図】図２
2014171408.tif 000002
【特許請求の範囲】
【請求項１】
左右一対の前車輪、左右一対の後車輪及び運転座席を有した走行車体と、
前記走行車体の後部に連結された水田作業装置と、
前記左右一対の前車輪の間に位置する運転ステップ部及び前記左右一対の後車輪の間に位置する後カバー部が一体形成された車体カバーと、を備え、
走行車体側に設けた前輪カバー支持部から前記車体カバーよりも走行車体横外側の前記運転ステップ部よりも高い配置高さの箇所に延出され、延出端側で前記前車輪の上方を覆う前輪カバーを、前記車体カバーと各別に形成して備えてある水田作業機。
【請求項２】
前記前輪カバー支持部を前記運転ステップ部に設けてある請求項１に記載の水田作業機。
【請求項３】
走行車体側に設けた後輪カバー支持部から前記車体カバーよりも走行車体横外側の前記後カバー部よりも高い配置高さの箇所に延出され、延出端側で前記後車輪の上方を覆う後輪カバーを、前記車体カバーと各別に形成して備えてある請求項１又は２に記載の水田作業機。
【請求項４】
前記後輪カバー支持部を前記後カバー部に設けてある請求項３に記載の水田作業機。
【発明の詳細な説明】
【技術分野】
【０００１】
本発明は、左右一対の前車輪、左右一対の後車輪及び運転座席を有した走行車体と、前記走行車体の後部に連結された水田作業装置と、前記左右一対の前車輪の間に位置する運転ステップ部及び前記左右一対の後車輪の間に位置する後カバー部が一体形成された車体カバーと、を備えた水田作業機に関する。
【背景技術】
【０００２】
従来、例えば特許文献１に示されるように、搭乗運転部に搭乗ステップを設け、搭乗ステップの左右両側に対して着脱自在な補助ステップを備えた乗用型の田植機があった。補助ステップは、装着状態において搭乗ステップから左右外側に張り出すよう構成され、かつ装着状態において前端側が前輪の上方に位置するよう構成されている。
【先行技術文献】
【特許文献】
【０００３】
【特許文献１】特開２００４−２９８１１８号公報
【発明の概要】
【発明が解決しようとする課題】
【０００４】
たとえば、田植作業後の圃場に排水溝を形成する乗用型の溝切機を、乗用型の田植機を構成する走行車体を利用して構成するには、植付苗に対する走行車体及び車輪の接触を回避するように、車輪部の田植機仕様を、車輪の外径が田植機用よりも大きく、かつ車輪の取り付け位置が田植機用よりも走行車体横外側に位置した溝切機仕様に変更される。
このように車輪の外径を大きく変化させ、車輪の装着位置を走行車体横外側に変化させると、車輪カバーの位置を車体上方側及び車体横外側に変化させる必要がある。溝切機仕様に対応する車輪カバーを車体カバーに一体形成して備えさせた場合、溝切機用の車体カバーを、田植機用の車体カバーとは別に準備する必要があるが、溝切機用の車輪カバーを車体カバーとは各別に形成して備える場合、田植機用の車体カバーを溝切機用の車体カバーとして採用することができ、溝切機専用の車体カバーを準備する必要が無くて有利である。
溝切機専用の車体カバーを不要にするよう、上記した従来の技術を適用した場合、運転部に関する問題が発生する。
つまり、従来の技術を適用した場合、車輪外径が大きくなることに起因して車輪カバーの配置高さが高くなるにもかかわらず、運転ステップ部としての搭乗ステップと、車輪カバーとしての補助ステップとの配置高さが同じ又はほぼ同じになることにより、運転ステップ部の配置高さが高くなる。
【０００５】
本発明の目的は、溝切機の如く前輪部仕様を変化させても、運転部及び経費の面で有利に得ることができる水田作業機を提供することにある。
【課題を解決するための手段】
【０００６】
本第１発明による水田作業機は、
左右一対の前車輪、左右一対の後車輪及び運転座席を有した走行車体と、
前記走行車体の後部に連結された水田作業装置と、
前記左右一対の前車輪の間に位置する運転ステップ部及び前記左右一対の後車輪の間に位置する後カバー部が一体形成された車体カバーと、を備え、
走行車体側に設けた前輪カバー支持部から前記車体カバーよりも走行車体横外側の前記運転ステップ部よりも高い配置高さの箇所に延出され、延出端側で前記前車輪の上方を覆う前輪カバーを、前記車体カバーと各別に形成して備えてあることを特徴とする。
【０００７】
本第１発明の構成によると、前輪部仕様を、前車輪の外径が大きく変化し、かつ前車輪の取り付け位置が車体横外側に変化した仕様に変更しても、前輪カバーが前輪カバー支持部から車体カバーよりも走行車体横外側の運転ステップ部よりも高い配置高さの箇所に延出し、前輪カバーの延出端側が前車輪の上方を覆うことにより、前車輪からの泥土の跳ね上がりを前輪カバーによって防止できる。また、前輪カバーを車体カバーと各別に形成してあることにより、車体カバーを前輪部仕様の変更がないものと変更があるものとに共用できる。車体カバーを前輪部仕様の変更がないものと変更があるものとに共用できることにより、前輪部仕様の変更があるものにおいて、前車輪の外径変更にかかわらず、運転ステップ部の配置高さを前輪部仕様の変更がないものとあまり変化しない高さにできる。
【０００８】
従って、本第１発明によると、前輪部仕様の変更にかかわらず前車輪から車体上方への泥土の跳ね上がりを前輪カバーによって防止できるものでありながら、運転ステップ部の配置高さがあまり高くならなくて運転部に対する乗り降りをし易いままにでき、かつ車体カバーを前輪部仕様の変更がないものとあるものとに共用できて安価に済む。
【０００９】
本第２発明では、前記前輪カバー支持部を前記運転ステップ部に設けてある。
【００１０】
本第２発明の構成によると、運転ステップ部に前輪カバーの支持機構を備えさせた簡単な構造で前輪カバーを装着できる。
【００１１】
従って、本第２発明によると、前輪カバーを構造簡単に装着できて安価に得られる。
【００１２】
本第３発明では、走行車体側に設けた後輪カバー支持部から前記車体カバーよりも走行車体横外側の前記後カバー部よりも高い配置高さの箇所に延出され、延出端側で前記後車輪の上方を覆う後輪カバーを、前記車体カバーと各別に形成して備えてある。
【００１３】
本第３発明の構成によると、後輪部仕様を、後車輪の外径が大きく変化し、かつ後車輪の取り付け位置が車体横外側に変化した仕様に変更しても、後輪カバーが後輪カバー支持部から車体カバーよりも走行車体横外側の後カバー部よりも高い配置高さの箇所に延出し、後輪カバーの延出端側が後車輪の上方を覆うことにより、後車輪からの泥土の跳ね上がりを後輪カバーによって防止できる。また、後輪カバーを車体カバーと各別に形成してあることにより、車体カバーを後輪部仕様の変更がないものと変更があるものとに共用できる。車体カバーを後輪部仕様の変更がないものと変更があるものとに共用できることにより、後輪部仕様の変更があるものにおいて、後車輪の外径変更にかかわらず、後部カバーの配置高さを後輪部仕様の変更がないものとあまり変化しない高さにできる。
【００１４】
従って、本第３発明によると、後輪部仕様の変更にかかわらず後車輪から車体上方への泥土の跳ね上がりを後輪カバーによって防止できるものでありながら、後カバー部の配置高さがあまり高くならなくて運転座席をあまり高くせずに済むなど有利であり、かつ車体カバーを後輪部仕様の変更がないものとあるものとに共用できて安価に済む。
【００１５】
本第４発明では、前記後輪カバー支持部を前記後カバー部に設けてある。
【００１６】
本第４発明の構成によると、後カバー部に後輪カバーの支持機構を備えさせた簡単な構造で後輪カバーを装着できる。
【００１７】
従って、本第４発明によると、後輪カバーを構造簡単に装着できて安価に得られる。
【図面の簡単な説明】
【００１８】
【図１】水田作業機の全体を示す側面図である。
【図２】水田作業機の全体を示す平面図である。
【図３】水田作業装置を示す側面図である。
【図４】水田作業装置を示す斜視図である。
【図５】車体カバーを示す斜視図である。
【図６】図２のＶＩ−ＶＩ断面矢視図である。
【図７】図２のＶＩＩ−ＶＩＩ断面矢視図である。
【図８】エンジンの排気マフラーが配備された部位を示す斜視図である。
【図９】別の実施構造を備えた走行車体の前部を示す平面図である。
【発明を実施するための形態】
【００１９】
以下、本発明の実施の形態を図面に基づいて説明する。
図１は、本発明の実施例に係る水田作業機の全体を示す側面図である。図２は、本発明の実施例に係る水田作業機の全体を示す平面図である。図１，２に示すように、本発明の実施例に係る水田作業機は、左右一対の操向操作自在な前車輪１，１及び左右一対の後車輪２，２が車体後部に設けたエンジン３からの駆動力によって駆動されて走行するよう構成した走行車体と、走行車体の後部に上下揺動自在なリンク機構４を介して連結され、昇降シリンダ５によるリンク機構４の揺動操作によって下降作業状態と上昇非作業状態とに昇降操作される水田作業装置１０とを備えている。
【００２０】
この水田作業機は、水田作業装置１０を下降作業状態に下降させて走行車体を走行させることにより、水田作業装置１０によって苗植付済み箇所の隣り合う２列の植付苗列の植付苗Ｎどうしの間に排水溝Ａ（図２参照）を形成する溝切作業を行う。
【００２１】
水田作業装置１０について説明する。
図３は、水田作業装置１０を示す側面図である。図４は、水田作業装置１０を示す斜視図である。図１〜４に示すように、水田作業装置１０は、リンク機構４の後部部材４ａに前端部が連結された作業フレーム１１と、作業フレーム１１が備える溝切フレーム部１２に支持された左右一対の溝切体１３，１３とを備えている。
【００２２】
従って、水田作業装置１０は、下降作業状態に操作されることにより、左右の溝切体１３が圃場の泥土部に接地して左右の溝切体１３の溝切刃部１３ａの下端側が泥土部に入り込み、左右の溝切刃部１３ａによって泥土部に排水溝Ａを形成する。
【００２３】
左右の溝切体１３は、溝切体１３の前部に固定された連結部材１４と、溝切フレーム部１２にブラケットを取り付けて設けた支持部１２ａとを連結する連結ピン１５の軸芯まわりに上下揺動自在に支持されている。各溝切体１３には、連結部材１４から一体揺動自在に延出した操作アーム１６を備えてある。各溝切体１３は、左右の溝切体１３の操作アーム１６を連動させている連動杆１６ａと作業フレーム１１に設けた支持アーム１７とに連結されたスプリング１８によって下降付勢されている。支持部１２ａに設けたストッパーピン１９に連結部材１４が当接することにより、溝切体１３の下降限界が設定されるようになっている。
【００２４】
走行車体について説明する。
走行車体は、車体後部に設けた運転座席２１、運転座席２１の前方に設けたステアリングホィール２２を有した運転部Ｂを備えており、運転部Ｂに搭乗して運転するように乗用型になっている。
【００２５】
走行車体には、走行車体の前端部から後端部にわたって配備された車体カバー３０を設けてある。車体カバー３０は、前輪駆動ケース２５及び後輪駆動ケース２６を備えて構成された車体フレーム、及び車体フレームに支持されたエンジン３の上方を覆っている。
【００２６】
図５は、車体カバー３０を示す斜視図である。図１，２，５に示すように、車体カバー３０は、運転座席２１の前方下方の箇所であって、左右一対の前車輪１，１の間の箇所に位置する運転ステップ部３１と、運転座席２１の下方箇所であって、左右一対の後車輪２，２の間の箇所に位置する後カバー部３２とを備えて構成してある。車体カバー３０は、全体にわたって樹脂素材の成型によって作製してあり、樹脂製になっている。従って、運転ステップ部３１及び後カバー部３２は、一体成形されている。運転ステップ部３１及び後カバー部３２は、樹脂製になっている。車体カバー３０には、運転ステップ部３１の後端部と後カバー部３２の前端部とにわたって車体前方上方に膨出する状態で形成され、エンジン３を収容するエンジンカバー部３４を設けてある。
【００２７】
運転ステップ部３１は、床面を形成するステップ部本体３１ａと、ステップ部本体３１ａの周部に連なった走行車体上下向きの縦板状の周壁部３１ｂとを備えている。後カバー部３２は、運転ステップ部３１の後端部から走行車体後方上方に斜めに運転座席２１の座部の下方箇所まで立ち上がった傾斜板部３２ａと、傾斜板部３２ａの後端に前端が連なった天板部３２ｂと、傾斜板部３２ａ及び天板部３２ｂの周部に連なった走行車体上下向きの縦板状の周壁部３２ｃとを備えている。後カバー部３２に運転座席２１の横側方に位置する昇降レバー６（図２参照）が挿通するレバーガイド７を設けてある。昇降レバー６は、昇降シリンダ５を操作して水田作業装置１０を昇降操作するものである。
【００２８】
図１，２に示すように、走行車体の前部の両横側部に、前車輪１の上方を覆い、前車輪１による跳ね上げ泥土が車体側に飛散することを防止する前輪カバー３５を設けてある。
【００２９】
図６は、図２のＶＩ−ＶＩ断面矢視図である。図１，２，５，６に示すように、前輪カバー３５は、走行車体側に設けた前輪カバー支持部３１ｃから車体カバー３０よりも走行車体横外側の運転ステップ部３１よりも高い配置高さの箇所に延出し、延出端側で前車輪１の上方を覆うように構成してある。
【００３０】
具体的には、前輪カバー３５は、車体カバー３０とは各別に形成してある。前輪カバー３５には、基端側に設けた連結部３５ａと、延出端側に設けたカバー部３５ｂとを備えてある。前輪カバー３５は、縦断面形状がカバー部３５ｂを連結部３５ａに対して走行車体上方側に位置ずれさせた形状になるように構成してある。
【００３１】
前輪カバー支持部３１ｃは、車体カバー３０における運転ステップ部３１の横端部に設けてある。前輪カバー３５の連結部３５ａを前輪カバー支持部３１ｃに走行車体上方から載せ付けて、連結ネジ３６によって止着することにより、前輪カバー３５を前輪カバー支持部３１ｃに支持させるように構成してある。連結ネジ３６に替えてリベットや溶着を採用して実施してもよい。前輪カバー３５を前輪カバー支持部３１ｃに支持させた状態において、カバー部３５ｂが車体カバー３０における運転ステップ部３１よりも走行車体横外側に出て前車輪１の上方に位置する。
【００３２】
図１，２に示すように、走行車体の後部の両横側部に、後車輪２の上方を覆い、後車輪２による跳ね上げ泥土が車体側に飛散することを防止する後輪カバー３７を設けてある。
【００３３】
図７は、図２のＶＩＩ−ＶＩＩ断面矢視図である。図１，２，５，７に示すように、後輪カバー３７は、走行車体側に設けた後輪カバー支持部３２ｄから車体カバー３０よりも走行車体横外側の後カバー部３２よりも高い配置高さの箇所に延出し、延出端側で後車輪２の上方を覆うように構成してある。
【００３４】
具体的には、後輪カバー３７は、車体カバー３０とは各別に形成してある。後輪カバー３７には、基端側に設けた連結部３７ａと、延出端側に設けたカバー部３７ｂとを備えてある。後輪カバー３７は、縦断面形状がカバー部３７ｂを連結部３７ａに対して走行車体上方側に位置させた形状になるように構成してある。
【００３５】
後輪カバー支持部３２ｄは、車体カバー３０における後カバー部３２の横端部に設けてある。後輪カバー３７の連結部３７ａを後輪カバー支持部３２ｄに走行車体上方から載せ付けて、連結ネジ３８によって止着することにより、後輪カバー３７を後輪カバー支持部３２ｄに支持させるように構成してある。連結ネジ３８に替えてリベットや溶着を採用して実施してもよい。後輪カバー３７を後輪カバー支持部３２ｄに支持させた状態において、カバー部３７ｂが車体カバー３０の後カバー部３２よりも走行車体横外側に出て後車輪２の上方に位置する。
【００３６】
図１，２，６に示すように、車体カバー３０は、運転ステップ部３１の両横端部から走行車体横外向きに突設された前輪フェンダー３３を備えている。この前輪フェンダー３３は、車体カバー３０に一体形成されている。この前輪フェンダー３３は、走行車体を田植機の構成に採用するべく走行車体に装着された前車輪、すなわち溝切機における前車輪１よりも小さい外径が備えられ、溝切機における前車輪１よりも車体横内側に装着される前車輪に対応させるものである。
【００３７】
図８は、エンジン３の排気マフラー４０が配備された部位を示す斜視図である。図８に示すように、排気マフラー４０が備える排気尾管４１の後方近くに排ガスガイド板４２を配備してある。排ガスガイド板４２は、排気尾管４１の後方下方向きの排気口４１ａから吐出される排ガスを、植付苗Ｎに当たらないように走行車体横向きに流動案内するものである。
【００３８】
〔別実施形態〕
図９は、別の実施構造を備えた走行車体の前部を示す平面図である。図９に示すように、別の実施構造を備えた走行車体は、車体前端部の両横側に設けた予備苗載台４５を備えている。運転ステップ部３１の前端３１ｔが予備苗載台４５の前端４５ｔと同じ車体前後方向箇所に位置するよう運転ステップ部３１を構成してある。
【００３９】
〔別実施例〕
上記した実施例では、前輪カバー支持部３１ｃを運転ステップ部３１に設け、後輪カバー支持部３２ｄを後カバー部３２に設けた例を示したが、前輪フェンダー３３や車体フレームなど、走行車体側の各種の部位に設けて実施してもよい。
【産業上の利用可能性】
【００４０】
本発明は、溝切体１３が装備された水田作業装置１０を備える他、薬剤や肥料を圃場に供給あるいは散布する供給装置あるいは散布装置が装備された水田作業装置を備えた水田作業機にも利用可能である。
【符号の説明】
【００４１】
１        前車輪
２        後車輪
１０      水田作業装置
２１      運転座席
３０      車体カバー
３１      運転ステップ部
３１ｃ    前輪カバー支持部
３２      後カバー部
３２ｄ    後輪カバー支持部
３５      前輪カバー
３７      後輪カバー
【図１】
2014171408.tif 000003
【図２】
2014171408.tif 000004
【図３】
2014171408.tif 000005
【図４】
2014171408.tif 000006
【図５】
2014171408.tif 000007
【図６】
2014171408.tif 000008
【図７】
2014171408.tif 000009
【図８】
2014171408.tif 000010
【図９】
2014171408.tif 000011